【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
赤外線マーキングを隠すように混合されたコントラストを変化させる少なくとも２つの色を、インライン分光光度計センサを利用して測定して、その後、前記少なくとも２つの色それぞれについての黒色トナーのコントラストを調節して、混合した時に互いの色の見え方を一致させるステップであって、少なくとも１つの色が赤外線マーキングを提供し、少なくとも１つの色が周囲の着色剤を提供し、前記赤外線マーキングを隠す、ステップと、
カスタマイズされる色を、より暗い色のより小さい全範囲から選択して、前記少なくとも２つの色の間の黒色トナーの十分な差異を保持して、前記周囲の着色剤から前記赤外線マーキングの赤外線検出のために十分なコントラストを提供し、前記少なくとも２つの色の間の近接した一致を保持することによって、平均的な観察者による前記赤外線マーキングの見やすさを最小限に抑えるステップと、
予測される色の混合と似ている色モデルを組み込むことにより最初の一致を提供して、その後、前記赤外線マーキングの赤外線検出に前記少なくとも２つの色の間で提供される黒色トナーの差異をもたらすことができる方式で、前記周囲の着色剤を用いて、前記赤外線マーキングを描画する前に、前記少なくとも２つの色を描画して、より近く一致するように前記少なくとも２つの色を調節し、前記少なくとも２つの色の間の近接した一致を保持することによって、平均的な観察者による前記赤外線マーキングの見やすさを最小限に抑えるステップと、を含む、
少なくとも２つの色の組み合わせ内で情報を伝達する赤外線マーキングを隠すための二元的色合わせフィードバック制御方法。
【請求項２】
色合わせ制御ユニットを通じて前記少なくとも２つの色の混合を調節して互いの前記色の見え方を一致させるステップをさらに含む、請求項１に記載の方法。
【請求項３】
前記隠された記号の着色剤と周囲の着色剤の間の色差を最小限に抑えて、前記隠された記号の存在が標準的な条件下で前記観察者に見つかりにくいように他のトナー量を調節するステップをさらに含む、請求項１に記載の方法。
【請求項４】
顧客が選択できるさまざまな色の前記記号を隠すステップをさらに含む、請求項１に記載の方法。
【請求項５】
色の限定されたパレットに対して、前記隠すことを提供するステップをさらに含む、請求項１に記載の方法。
【請求項６】
演色装置、トナーバッチ、色ずれ、およびノイズ源の少なくとも１つにわたって差異を補正し、前記少なくとも２つの色を色合わせ制御ユニットを通じて全く変更させるステップをさらに含む、請求項１に記載の方法。
【請求項７】
前記少なくとも２つの色の一致の一貫性および安定性を定期的に提供し、隠された記号の不可視性を向上させて保持するステップをさらに含む、請求項１に記載の方法。
【請求項８】
バーコードを含むよう、隠された記号を設定するステップをさらに含む、請求項１に記載の方法。
【請求項９】
文字列を含むよう、隠された記号を設定するステップをさらに含む、請求項１に記載の方法。
【請求項１０】
セキュリティ記号を含むよう、隠された記号を設定するステップをさらに含む、請求項１に記載の方法。
【請求項１１】
記号、バーコード、文字列又はセキュリティ記号の少なくとも一つの種類を含むよう、隠された記号を設定するステップをさらに含む、請求項１に記載の方法。
【請求項１２】
プロセッサと、
前記プロセッサに接続されたデータバスと、
コンピュータコードを具体化するコンピュータ使用可能媒体であって、前記コンピュータ使用可能媒体は前記データバスに接続されており、前記コンピュータ・プログラム・コードは前記プロセッサにより実行可能な命令を含み、
赤外線マーキングを隠すように混合されたコントラストを変化させる少なくとも２つの色を、インライン分光光度計センサを利用して測定して、その後、前記少なくとも２つの色それぞれについての黒色トナーのコントラストを調節して、混合した時に互いの色の見え方を一致させるステップであって、少なくとも１つの色が赤外線マーキングを提供し、少なくとも１つの色が周囲の着色剤を提供し、前記赤外線マーキングを隠す、ステップと、
カスタマイズされる色を、より暗い色のより小さい全範囲から選択して、前記少なくとも２つの色の間の黒色トナーの十分な差異を保持して、前記周囲の着色剤から前記赤外線マーキングの赤外線検出のために十分なコントラストを提供し、前記少なくとも２つの色の間の近接した一致を保持することによって、平均的な観察者による前記赤外線マーキングの見やすさを最小限に抑えるステップと、
予測される色の混合と似ている色モデルを組み込むことにより最初の一致を提供して、その後、前記赤外線マーキングの赤外線検出に前記少なくとも２つの色の間で提供される黒色トナーの差異をもたらすことができる方式で、前記周囲の着色剤を用いて、前記赤外線マーキングを描画する前に、前記少なくとも２つの色を描画して、より近く一致するように前記少なくとも２つの色を調節し、前記少なくとも２つの色の間の近接した一致を保持することによって、平均的な観察者による前記赤外線マーキングの見やすさを最小限に抑えるステップと、のために構成されている、コンピュータ使用可能媒体と、を含む、
二元的色合わせフィードバック制御システム。
【請求項１３】
前記命令は、さらに、色合わせ制御ユニットを通じて前記少なくとも２つの色の混合を調節して互いの前記色の見え方を一致させるステップのために構成されている、請求項１２に記載のシステム。
【請求項１４】
前記命令は、さらに、前記隠された記号の着色剤と周囲の着色剤の間の色差を最小限に抑えて、前記隠された記号の存在が標準的な条件下で前記観察者に見つかりにくいように他のトナー量を調節するステップのために構成されている、請求項１２に記載のシステム。
【請求項１５】
前記命令は、さらに、顧客が選択できるさまざまな色の前記記号を隠すステップのために構成されている、請求項１２に記載のシステム。
【請求項１６】
前記命令は、さらに、演色装置、トナーバッチ、色ずれ、およびノイズ源の少なくとも１つにわたって差異を補正し、前記少なくとも２つの色を色合わせ制御ユニットを通じて全く変更させるステップのために構成されている、請求項１２に記載のシステム。
【請求項１７】
前記命令は、さらに、前記少なくとも２つの色の一致の一貫性および安定性を定期的に提供し、隠された記号の不可視性を向上させて保持するステップのために構成されている、請求項１２に記載のシステム。
【請求項１８】
隠された記号がバーコード、文字列又はセキュリティ記号の少なくとも一つを含む、請求項１２に記載のシステム。
【請求項１９】
プロセッサにプロセスを実行させる命令を表すコードを保存するプロセッサ読み込み可能な非一時的な媒体であって、前記コードは、
赤外線マーキングを隠すように混合されたコントラストを変化させる少なくとも２つの色を、インライン分光光度計センサを利用して測定して、その後、前記少なくとも２つの色それぞれについての黒色トナーのコントラストを調節して、混合した時に互いの色の見え方を一致させるステップであって、少なくとも１つの色が赤外線マーキングを提供し、少なくとも１つの色が周囲の着色剤を提供し、前記赤外線マーキングを隠す、ステップと、
カスタマイズされる色を、より暗い色のより小さい全範囲から選択して、前記少なくとも２つの色の間の黒色トナーの十分な差異を保持して、前記周囲の着色剤から前記赤外線マーキングの赤外線検出のために十分なコントラストを提供し、前記少なくとも２つの色の間の近接した一致を保持することによって、平均的な観察者による前記赤外線マーキングの見やすさを最小限に抑えるステップと、
予測される色の混合と似ている色モデルを組み込むことにより最初の一致を提供して、その後、前記赤外線マーキングの赤外線検出に前記少なくとも２つの色の間で提供される黒色トナーの差異をもたらすことができる方式で、前記周囲の着色剤を用いて、前記赤外線マーキングを描画する前に、前記少なくとも２つの色を描画して、より近く一致するように前記少なくとも２つの色を調節し、前記少なくとも２つの色の間の近接した一致を保持することによって、平均的な観察者による前記赤外線マーキングの見やすさを最小限に抑えるステップと、のためのコードを含む、
プロセッサ読み込み可能な非一時的な媒体。
【請求項２０】
色合わせ制御ユニットを通じて前記少なくとも２つの色の混合を調節して互いの前記色の見え方を一致させるステップのために構成されている、請求項１９に記載のプロセッサ読み込み可能な非一時的な媒体。